(57)【要約】【課題】矩形とは異なる形状の窓を容易に、かつ、短時間にて形成可能なサッシ窓等を提供する。  【解決手段】室内外を仕切る壁に、矩形とは異なる外形形状の異形窓を形成するためのサッシ窓であって、前記外形形状の開口部が形成された、前記壁に当接されるフランジ部材と、前記開口部に設けられた面材と、を備え、前記フランジ部材は、前記壁に形成された矩形状の開口に対して該フランジ部材を位置決めするための位置決め部を有する。【選択図】図４
2008038376.tif 000002
【特許請求の範囲】
【請求項１】
室内外を仕切る壁に、矩形とは異なる外形形状の異形窓を形成するためのサッシ窓であって、
前記外形形状の開口部が形成された、前記壁に当接されるフランジ部材と、
前記開口部に設けられた面材と、を備え、
前記フランジ部材は、前記壁に形成された矩形状の開口に対して該フランジ部材を位置決めするための位置決め部を有することを特徴とするサッシ窓。
【請求項２】
請求項１に記載のサッシ窓であって、
前記壁は、躯体と、前記躯体の室外側に設けられた外面部材と、前記躯体の室内側に設けられた内面部材とを有して構成され、
前記位置決め部は、前記躯体に対し前記フランジ部材を位置決めすることを特徴とするサッシ窓。
【請求項３】
請求項１に記載のサッシ窓であって、
前記壁は、躯体と、前記躯体の室外側に設けられた外面部材と、前記躯体の室内側に設けられた内面部材とを有して構成され、
前記位置決め部は、前記外面部材に対し前記フランジ部材を位置決めすることを特徴とするサッシ窓。
【請求項４】
請求項１乃至請求項３のいずれかに記載のサッシ窓であって、
前記フランジ部材は、前記面材に沿って浸入する水を排水するための排水部を有し、
前記位置決め部により位置決めされることにより前記排水部が前記開口部の下方に配置されることを特徴とするサッシ窓。
【請求項５】
室内外を仕切り、矩形とは異なる外形形状の異形窓を形成するサッシ窓を備えた壁であって、
躯体と、前記躯体の室外側に設けられた外面部材と、前記躯体の室内側に設けられた内面部材と、を有し、
前記サッシ窓は、前記外形形状の開口部が形成された、前記壁に当接されるフランジ部材と、前記開口部に設けられた面材と、を備え、
前記フランジ部材は、前記躯体又は前記外面部材の少なくともいずれか一方に形成された矩形の開口に対して該フランジ部材を位置決めするための位置決め部を有することを特徴とするサッシ窓を備えた壁。
【請求項６】
請求項５に記載のサッシ窓を備えた壁であって、
前記内面部材は、前記外面部材よりも剛性が低く形成されるとともに、前記異形窓の開口部と同様の外形形状の開口が設けられていることを特徴とするサッシ窓を備えた壁。
【発明の詳細な説明】
【技術分野】
【０００１】
本発明は、室内外を仕切る壁に、矩形とは異なる外形形状の異形窓を形成するためのサッシ窓、及び、このサッシ窓を備えた壁に関する。
【背景技術】
【０００２】
矩形とは異なる外形形状の異形窓としては、例えば、丸窓が知られている（特許文献１参照）。このような、丸窓は、建物の躯体に取り付けられた構造面材が円形状に切り取られて形成された開口に円筒体状をなす丸窓の一方側が挿入されると共に、丸窓の他方側に設けられた枠部が開口の周縁部に固定されている。
【特許文献１】特開２００４−３１９４号公報
【発明の開示】
【発明が解決しようとする課題】
【０００３】
上記従来のサッシ窓では、丸窓が取り付けられる構造面材を円形状に切り取らなければならず、強度を有する構造面材を円形状に切り取る作業は、煩雑で多大な時間を要する。また、矩形状の枠に丸窓等の矩形とは異なる形状の窓を取り付ける際には、窓が位置決めし難く手間がかかるという課題があった。
【０００４】
本発明は、かかる課題に鑑みてなされたものであり、その目的とするところは、矩形とは異なる形状の窓を容易に、かつ、短時間にて形成可能なサッシ窓、及び、サッシ窓を備えた壁を提供することにある。
【課題を解決するための手段】
【０００５】
かかる目的を達成するために本発明のサッシ窓は、室内外を仕切る壁に、矩形とは異なる外形形状の異形窓を形成するためのサッシ窓であって、前記外形形状の開口部が形成された、前記壁に当接されるフランジ部材と、前記開口部に設けられた面材と、を備え、前記フランジ部材は、前記壁に形成された矩形状の開口に対して該フランジ部材を位置決めするための位置決め部を有することを特徴とするサッシ窓である。  
このようなサッシ窓によれば、矩形とは異なる外形形状の開口部が形成されたフランジ部材に、壁に形成された矩形状の開口に対する位置決め部が設けられているので、位置決め部により矩形ではない開口部を壁の矩形状の開口に対して容易に位置決めして、短時間で異形窓を形成することが可能である。すなわち、外形形状が矩形ではない窓を、壁の矩形状の開口に対し容易に位置決めすることが可能である。
【０００６】
かかるサッシ窓であって、前記壁は、躯体と、前記躯体の室外側に設けられた外面部材と、前記躯体の室内側に設けられた内面部材とを有して構成され、前記位置決め部は、前記躯体に対し前記フランジ部材を位置決めすることが望ましい。  
このようなサッシ窓によれば、フランジ部材に設けられた開口部が躯体に対して直接位置決めされるので、より正確な位置に異形窓を形成することが可能である。
【０００７】
かかるサッシ窓であって、前記壁は、躯体と、前記躯体の室外側に設けられた外面部材と、前記躯体の室内側に設けられた内面部材とを有して構成され、前記位置決め部は、前記外面部材に対し前記フランジ部材を位置決めすることが望ましい。  
外面部材は、剛性が高いため矩形以外の形状の開口を加工しにくい場合があるが、上記サッシ窓によれば、外面部材に矩形とは異なる開口を形成することなく壁に異形窓を形成することが可能である。このため、容易な加工により正確に位置決めされた異形窓を形成することが可能である。
【０００８】
かかるサッシ窓であって、前記フランジ部材は、前記面材に沿って浸入する水を排水するための排水部を有し、前記位置決め部により位置決めされることにより前記排水部が前記開口部の下方に配置されることが望ましい。  
面材に沿って浸入する水を排水するためには、排水部を開口部の下方に位置させなければならないが、上記サッシ窓によれば、位置決め部によって排水部を開口部の下方に確実に位置決めして配置することが可能である。このため、開口部に設けられた面材に沿って浸入する水が効率よく排水される異形窓を提供することが可能である。
【０００９】
また、室内外を仕切り、矩形とは異なる外形形状の異形窓を形成するサッシ窓を備えた壁であって、躯体と、前記躯体の室外側に設けられた外面部材と、前記躯体の室内側に設けられた内面部材と、を有し、前記サッシ窓は、前記外形形状の開口部が形成された、前記壁に当接されるフランジ部材と、前記開口部に設けられた面材と、を備え、前記フランジ部材は、前記躯体又は前記外面部材の少なくともいずれか一方に形成された矩形の開口に対して該フランジ部材を位置決めするための位置決め部を有することを特徴とするサッシ窓を備えた壁である。  
躯体や外面部材は、剛性や強度が高く加工しにくい場合がある。このため、矩形状の開口に対して位置決めするための位置決め部を有するフランジ部材を備えたサッシ窓を備えた壁は、加工にしにくい躯体又は外面部材に、比較的容易に加工できる矩形の開口を設けることにより所定の位置に位置決めされた異形窓を備えることが可能である。
【００１０】
かかるサッシ窓を備えた壁であって、前記内面部材は、前記外面部材よりも剛性が低く形成されるとともに、前記異形窓と同様の外形形状の開口が設けられていることが望ましい。  
内面部材は外面部材よりも比較的加工しやすいので、矩形状とは異なる開口部に合わせた外形形状の開口を形成して、室内側の壁面をきれいに仕上げることが可能である。
【発明の効果】
【００１１】
本発明によれば、矩形とは異なる形状の窓を容易に、かつ、短時間にて形成可能なサッシ窓、及び、サッシ窓を備えた壁を提供することができるという効果がある。
【発明を実施するための最良の形態】
【００１２】
以下、室内外を仕切る壁に、矩形とは異なる外形形状の異形窓を形成するために用いられる、本発明の一実施形態に係るサッシ窓及びこのサッシ窓を備えた壁について図面を参照して説明する。
【００１３】
図１は、本実施形態に係るサッシ窓を用いて形成される異形窓の構成を説明するための概略図である。図２は、本発明にかかるサッシ窓を外面部材に取り付けられる側から見た斜視図である。図３は、サッシ窓を室外側から見た図である。図４は、本実施形態に係るサッシ窓及びサッシ窓を備えた壁を説明するための図３におけるＡＢＣＤ縦断面図である。本実施形態では、矩形とは異なる外形形状の異形窓として、円形状の外形形状をなす異形窓（以下、丸窓という）を形成するためのサッシ窓について説明する。
【００１４】
図１に示すように異形窓は、建物の躯体１をなす２本の柱１ａ、まぐさ１ｂ、窓台１ｃ、方立て１ｄ等にて形成された矩形状の開口３に形成される。躯体１には、建物の外側から外面部材としての外側パネル材５が取り付けられ、建物の内側から内面部材としての内壁材７が取り付けられて壁２が構成されている。ここで、外側パネル材５は、内壁材７より高い強度と剛性とを備えた部材である。以下、外側パネル材５側を室外側、内壁材７側を室内側という。また、壁２は、例えばコンクリートの躯体だけで形成されていてもよい。
【００１５】
外側パネル材５には、躯体１の開口３とほぼ同じ大きさの矩形状の開口５ａが設けられており、内壁材７には、形成される丸窓とほぼ同じ大きさの円形状の開口７ｃが設けられている。図１の例では、内壁材７は円形状の開口７ｃが半分に別れるように分割された２枚の内壁材７ａ、７ｂが用いられており、各々の内壁材７ａ、７ｂの端部にそれぞれ半円形状の切欠部７ｄが形成されており、２枚の内壁材７ａ、７ｂを並べて取り付けることにより円形状の開口７ｃが形成される。また、外側パネル材５の開口５ａには、外側からはサッシ窓１０が固定される。
【００１６】
サッシ窓１０は、建物の室内外方向に連通し、正面視円形状の開口部１１が形成され、外側パネル材５に当接されるフランジ部材１２と、開口部１１に設けられた面材としてのガラスユニット１４と、ガラスユニット１４を室外側からシールするリング状のシール材１６と、ガラスユニット１４及びシール材１６をフランジ部材１２に固定するための固定部材１８と、ガラスユニット１４を開口部１１内の所定の位置に配置するためのセッティングブロック１７と、を有している。
【００１７】
ガラスユニット１４は、２枚のガラスが互いに間隔を隔てて複層に形成されたガラス部１４ａと、ガラス部１４ａを一体に保持する環状フレーム１４ｂと、環状フレーム１４ｂの室内側の面及び室外側の面にそれぞれ設けられた環状シール１４ｃとを有している。
【００１８】
フランジ部材１２は、射出成形された樹脂製の部材であり、外側パネル材５に当接される矩形状のプレート部１２ａと、開口部１１を形成しプレート部１２ａの室外側に設けられた外筒部１２ｂ及び室内側に設けられた内筒部１２ｃとを有し、一体に成形されている。
【００１９】
プレート部１２ａの外形寸法は、外側パネル材５に形成された矩形状の開口５ａより十分大きく形成されており、丸窓となる開口部１１の上下左右の４カ所に外側パネル材５に固定するための固定穴１２ｄが設けられている。また、プレート部１２ａの室内側には内筒部１２ｃより外側に、外側パネル材５に設けられた開口５ａとほぼ同じ外形寸法を有する矩形状の位置決め部１２ｅが設けられている。この位置決め部１２ｅを室外側から外側パネル材５の開口５ａに挿入して嵌合することにより、外側パネル材５に対してフランジ部材１２が位置決めされることにより丸窓が位置決めされる。
【００２０】
外筒部１２ｂの内径は内筒部１２ｃの内形より大きく形成されており、内径の相違により形成される第１段部１２ｆに、室外側から挿入されたガラスユニット１４の周縁部が当接される。また、外筒部１２ｂには、室外側の周縁部が拡径されて第２段部１２ｇが設けられており、第２段部１２ｇには、第１段部１２ｆに挿入されたガラスユニット１４を固定するための固定部材１８がシール材１６を介して固定される。
【００２１】
図４に示すように、本実施形態では、躯体１の開口３と外側パネル材５の開口５ａとはほぼ同寸法に形成されおり、フランジ部材１２の位置決め部１２ｅは、開口３、５ａに沿って挿入されることによりフランジ部材１２が位置決めされる。このとき、位置決め部１２ｅと開口３及び開口５ａとの間に間隙が生じた場合には、図示するように、位置決め部１２ｅと開口３及び開口５ａとの間にスペーサ９が挿入される。このスペーサ９は、上下方向における位置決め部１２ｅと開口３及び開口５ａとの間のみならず、見付け方向における位置決め部１２ｅと開口３及び開口５ａとの間に挿入させても良い。また、上下方向のいずれか一方、又は、左右方向のいずれか一方のみにスペーサ９が挿入させても良い。このように、フランジ部材１２は、位置決め部１２ｅと開口３及び開口５ａとの間にスペーサ９が介在されて位置決めされている場合も、開口３及び開口５ａに位置決め部１２ｅが直接嵌合されて位置決めされている場合も、躯体１の開口３または外側パネル材５の開口５ａに対して位置決めされることになる。
【００２２】
フランジ部材１２は外側パネル材５に当接されたプレート部１２ａに設けられた固定穴１２ｄに釘２４が打ち込まれて外側パネル材５に固定されている。外壁パネル材５の外側には間隔を隔てて外壁材３０が設けられており、外壁材３０に設けられた開口３０ａから外筒部１２ｂが突出されると共に、外筒部１２ｂの外周部と開口３０ａとの間にはシール材３２が充填されている。
【００２３】
第１段部１２ｆには、ガラスユニット１４が配置され、第２段部１２ｇに固定部材１８が固定されることにより、ガラスユニット１４に設けられた環状シール１４ｃが圧縮されてガラスユニット１４が固定される。このとき、ガラスユニット１４と第１段部１２ｆの周壁面の間に間隙が形成されるように、開口部１１の下方側に２カ所配置されたセッティングブロック１７（図１）上にガラスユニット１４が載置されている。セッティングブロック１７は、開口部１１における見付け方向の中央から振り分けるように間隔を隔てて配置され、第１段部１２ｆの周壁面にはセッティングブロック１７が配置される凹部１２ｊが形成されている。そして、第１段部１２ｆの周壁面の下部において、２つのセッティングブロック１７が配置される凹部１２ｊ間は排水部１２ｈとして機能するように構成されている。
【００２４】
また、固定部材１８の下部には、フランジ部材１２に取り付けられた状態で排水部１２ｈと連通する排水開口１２ｉが形成されており、キャップ１５にて塞がれている。そして、サッシ窓１０に室外側から雨水が吹き付けられた際に、第１段部１２ｆに浸入した雨水や、ガラス部１４ａの室内側に生じた結露水等の水はガラス部１４ａに沿って排水部１２ｈに浸入し排水開口１２ｉを通って排水される。
【００２５】
また、開口３の室内側には円筒状の額縁２０が設けられており、内筒部１２ｃの内側に額縁２０の外周部が嵌め込まれている。額縁２０の室内側の縁部２０ａは全周に亘って直径方向外側に延出されており、内壁材７の開口７ａ縁部の境界部分を覆い間隙を塞いでいる。
【００２６】
図５（ａ）は、コンクリートの躯体のみで構成された壁にサッシ窓を取り付ける例の断面を示した模式図である。図５（ｂ）は、柱、まぐさ、窓台、方立て等の躯体と、外側パネル材及び内壁材とで構成された壁にサッシ窓を取り付ける例の断面を示した模式図である。図５（ａ）、図５（ｂ）はいずれも図４と同様の断面を模式している。
【００２７】
図５（ａ）に示すように、躯体１のみにサッシ窓１０を取り付ける場合には、躯体１に形成された開口３の内側寸法と、位置決め部１２ｅの外形寸法とが一致するようにフランジ部材１２が形成されている。このためフランジ部材１２は、躯体１の開口３に対して位置決めされる。そして、フランジ部材１２の内筒部１２ｃに挿入される額縁２０の縁部２０ａによって、室内側における開口３とフランジ部材１２または額縁２０との間隙が覆われる。また、躯体１は要求される寸法・形状に対して正確に形成される事が多い。そしてこの場合には、フランジ部材１２に設けられた開口部１１が躯体１に対して直接位置決めされるので、より正確な位置に丸窓を形成することが可能である。
【００２８】
図５（ｂ）に示すように、柱１ａ（図１）、まぐさ１ｂ、窓台１ｃ、方立て１ｄ（図１）等の躯体１と、外側パネル材５及び内壁材７とで構成された壁２にサッシ窓１０が取り付けられる場合には、躯体１の開口３の内側寸法と、外側パネル材５の開口５ａの内側寸法とが上述した例のように一致するとは限らない。例えば、躯体１に取り付けられた外側パネル材５に施工現場にて開口５ａを形成する場合には、開口３に沿うように開口５ａが形成されるが、躯体１を傷つけないように施工されるため、開口３より開口５ａの方が小さく形成される場合がある。この場合には、位置決め部１２ｅの外形寸法を開口３の内側寸法より小さく形成しておき、位置決め部１２ｅの外形寸法に合うように開口５ａを形成する。そして、フランジ部材１２は、外側パネル材５の開口５ａに対して位置決めされる。このような場合には、施工現場にて開口５ａを形成するので、予め外側パネル材５に開口５ａを形成しておく手間がかからない。また、施工現場で開口５ａを形成するので、位置決め部１２ｅの寸法に合わせて開口５ａの位置を微調整することも可能である。
【００２９】
また、例えば工場等にて予め外側パネル材５に開口５ａを形成して、躯体１に外側パネル材５を取り付ける場合には、躯体１の開口３より大きな開口５ａや、躯体１の開口３の内側寸法とほぼ一致するような開口５ａを形成することが可能なので、位置決め部１２ｅの外形寸法を開口３の内側寸法に合うように形成する。そして、フランジ部材１２は、躯体１の開口３に対して位置決めされる。このような場合には、外側パネル材５に位置決め部１２ｅに合わせた精度の高い開口を形成する必要がないとともに、外側パネル材５を工場等にて加工可能なので、外側パネル部材５の剛性が高く加工しにくい場合であっても、容易により正確に位置決めされた丸窓を形成することが可能である。
【００３０】
そして、図５（ｂ）のような内壁材７を有する壁２に異形窓を形成する場合には、フランジ部材１２の内筒部１２ｃに挿入される額縁２０の縁部２０ａによって、内壁材７に形成された開口７ｃとフランジ部材１２または額縁２０との間隙が覆われる。また、内壁材７は、外側パネル材５よりも加工がし易いので、額縁２０の室内側縁部を直径方向に延出することなく筒状に形成し、開口７ｃの内径寸法と額縁２０の外形寸法とを一致させて、額縁２０と開口７ｃとの間隙を塞ぐことも可能である。
【００３１】
図６（ａ）は、位置決め部の第１変形例を示す図である。図６（ｂ）は、位置決め部の第２変形例を示す図である。
【００３２】
上記実施形態では、フランジ部材１２に設けられた位置決め部１２ｅが内筒部１２ｃを囲むように矩形状に形成されている例について説明したが、位置決め部１２ｅの形状は矩形状に限らない。例えば、図６（ａ）のように開口３または開口５ａの角部に合うように、Ｌ字状の突部を位置決め部１２ｅとして四隅又は対角となる２つの角部に設けておいてもよい。また、図６（ｂ）に示すように、開口３または開口５ａの角部に合うように、円柱状のピンを突出させておいてもよい。
【００３３】
本実施形態のサッシ窓１０によれば、矩形とは異なる円形状の開口部１１が形成されたフランジ部材１２に矩形状の開口３または開口５ａに対する位置決め部１２ｅが設けられているので、位置決め部１２ｅにより、矩形ではない開口部１１を壁２の矩形状の開口３または開口５ａに対して容易に位置決めして、短時間で丸窓を形成することが可能である。すなわち、窓を形成するための開口３または開口５ａの形状が矩形であっても、容易に丸窓を位置決めすることが可能である。
【００３４】
また、外側パネル材５のような構造面材は、剛性が高く矩形以外の形状の開口を形成することは難しいが、上記サッシ窓１０は外側パネル材５に矩形以外の形状の開口を形成しないので、簡単で容易な加工にて異形窓を形成することが可能である。特に、例えば一辺又は直径が約４００ｍｍ以下の小さな窓を形成するための開口は小さいため加工は更にし難い。このため、外側パネル材５に異形の開口を形成するような困難な加工を要しない本サッシ窓１０は小さな形状の異形窓を形成する場合に特に優れた効果を奏する。
【００３５】
また、上記サッシ窓１０には、サッシ窓１０に室外側から雨水が吹き付けられた際に、第１段部１２ｆに浸入した雨水や、ガラス部１４ａの室内側に生じた結露水を外部に排水するための排水部１２ｈと連通する排水開口１２ｉが形成されているが、雨水や結露水を効率よく排出するためには、排水部１２ｈ及び排水開口１２ｉが定められた位置、つまり開口部１１の下側にきちんと配置されていることが望ましい。これは、位置決め部が無いフランジ１２を躯体１や外側パネル材５に固定する場合では、躯体１や外側パネル材５に対するフランジ部材１２の固定状態（水平状態）の調整が煩雑であり、良好な状態で固定しないと排水部１２ｈや排水開口１２ｉが定められた箇所（開口部１１の下側）に位置しなくなる。ところが、サッシ窓１０を開口３に対して位置決めするための位置決め部１２ｅを有するサッシ窓１０を用いることにより、排水部１２ｈが開口部１１の下側に位置するようにフランジ部材１２が配置され、位置決めされたフランジ部材１２にねじにて固定される固定部材１８も位置決めされる。そして、固定部材１８が位置決めされることにより、固定部材１８に設けられている排水開口１２ｉも開口部１１の下側に配置させることが可能であり、もって効率よく雨水及び結露水を排水することが可能である。
【００３６】
上記実施形態においては、第１段部１２ｆの周壁面の下部において、２つのセッティングブロック１７が配置される凹部１２ｊ間が排水部１２ｈとして機能するような構成としたが、これに限るものではない。例えば、セッティングブロック１７の代わりに第１段部１２ｆの周壁面から内方に向かって２つの突起を設けてもよく、また、第１段部１２ｆの周壁面の下部に見込み方向に沿って排水するための溝を設けてもよい。
【００３７】
上記実施形態においては、異形窓の外形形状を円形状としたが、これに限らず、三角形や六角形などの四角形を除く多角形や、楕円、星形、ハート形などであっても構わない。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３９】
【図１】本実施形態に係るサッシ窓を用いて形成される異形窓の構成を説明するための概略図である。
【図２】本発明にかかるサッシ窓を外壁材に取り付けられる側から見た斜視図である。
【図３】サッシ窓を室外側から見た図である。
【図４】図３におけるＡＢＣＤ縦断面図である。
【図５】図５（ａ）は、コンクリートの躯体のみで構成された壁にサッシ窓を取り付ける例の断面を示した模式図である。図５（ｂ）は、柱、まぐさ、窓台、方立て等の躯体と、外側パネル材及び内壁材とで構成された壁にサッシ窓を取り付ける例の断面を示した模式図である。
【図６】図６（ａ）は、位置決め部の第１変形例を示す図である。図６（ｂ）は、位置決め部の第２変形例を示す図である。
【符号の説明】
【００４０】
１  躯体、２  壁、３開口、５  外側パネル材、５ａ  開口、７  内壁材、
１０  サッシ窓、１１  開口部、１２  フランジ部材、１２ｅ  位置決め部、
１４  ガラスユニット、１２ｈ  排水部、１２ｉ  排水開口
【図１】
2008038376.tif 000003
【図２】
2008038376.tif 000004
【図３】
2008038376.tif 000005
【図４】
2008038376.tif 000006
【図５】
2008038376.tif 000007
【図６】
2008038376.tif 000008